(57)【特許請求の範囲】
【請求項１】
監視エリアの物理的現象を検出して出力するセンサ部と、
警報音と警報表示により異常警報を出力する報知部と、
警報中は警報停止操作手段として機能し、警報停止中は点検操作手段として機能する操作部と、
前記センサ部の検出出力による異常の有無及び前記操作部による停止操作又は点検操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出した時に、前記報知部からの警報音と警報表示により連動元を示す異常警報を出力させると共に、異常を示すイベント信号を他の警報器に送信させ、一方、他の警報器から異常を示すイベント信号を受信した時に、前記報知部からの警報音と警報表示により連動先を示す異常警報を出力させる警報処理部と、
を設けた警報器に於いて、
前記異常警報の出力中に自己の警報停止操作又は他の警報器から警報停止を示すイベント信号受信を検出した場合、前記警報音を停止すると共に警報表示を継続する警報停止部と、
前記警報処理部により異常警報が出力されていない状態で前記点検操作を検出した場合に点検情報を出力し、前記警報停止部による警報表示の継続中に前記点検操作を検出した場合、前記点検操作を受け付けて警報音の停止を解除して再度警報音を出力させる点検処理部と、
を設けたことを特徴とする警報器。
【請求項２】
監視エリアの物理的現象を検出して出力するセンサ部と、
警報音と警報表示により異常警報を出力する報知部と、
警報中は警報停止操作手段として機能し、警報停止中は点検操作手段として機能する操作部と、
前記センサ部の検出出力による異常の有無及び前記操作部による停止操作又は点検操作を含むイベントを検出するイベント検出部と、
前記イベント検出部で検出したイベントを示すイベント信号を他の警報器へ送信する送信処理部と、
他の警報器からのイベント信号を受信する受信処理部と、
前記イベント検出部で異常を検出した時に、前記報知部からの警報音と警報表示により連動元を示す異常警報を出力させると共に、異常を示すイベント信号を他の警報器に送信させ、一方、他の警報器から異常を示すイベント信号を受信した時に、前記報知部からの警報音と警報表示により連動先を示す異常警報を出力させる警報処理部と、
を設けた警報器に於いて、
前記異常警報の出力中に自己の警報停止操作又は他の警報器から警報停止を示すイベント信号受信を検出した場合、前記警報音を停止又は継続すると共に警報表示を継続する警報停止部と、
前記警報処理部により異常警報が出力されていない状態で前記点検操作を検出した場合に点検情報を出力し、前記警報停止部による警報表示の継続中に前記点検操作を検出した場合に前記点検操作をキャンセルする第１モード点検処理部と、
前記警報処理部により異常警報が出力されていない状態で前記点検操作を検出した場合に点検情報を出力し、前記警報停止部による警報表示の継続中に前記点検操作を検出したときに、前記警報音が停止している場合は前記点検操作を受け付けて処理し、前記警報音が継続している場合は前記点検操作をキャンセルする第２モード点検処理部と、
前記警報処理部により異常警報が出力されていない状態で前記点検操作を検出した場合に点検情報を出力し、前記警報停止部による警報表示の継続中に前記点検操作を検出した場合、前記点検操作を受け付けて警報音の停止を解除して再度警報音を出力させる第３モード点検処理部と、
前記第１点検モード処理部、第２モード点検処理部又は第３モード点検処理部のいずれか１つを選択して動作させるモード選択部と、
を設けたことを特徴とする警報器。
【請求項３】
請求項２記載の警報器に於いて、
前記警報停止部は、前記モード選択部で第１モード点検処理部又は第３モード点検処理部が選択されたときに、前記異常警報の出力中に自己の警報停止操作又は他の警報器から警報停止を示すイベント信号受信を検出した場合、前記警報音を停止すると共に警報表示を継続することを特徴とする警報器。
【請求項４】
請求項２記載の警報器に於いて、
前記警報停止部は、前記モード選択部で第２モード点検処理部が選択されたときに、
連動元を示す異常警報の出力中に自己の警報停止操作を検出した場合、連動元を示す警報音を停止すると共に警報表示を継続し、更に他の警報器に警報停止信号を送信し、
連動元を示す異常警報の出力中に他の警報器から警報停止を示すイベント信号受信を検出した場合、連動元を示す警報音を停止すると共に警報表示を継続し、更に、
連動先を示す異常警報の出力中に自己の警報停止操作又は他の住警器から警報停止を示すイベント信号の受信を検出した場合、連動先を示す警報音を停止すると共に警報表示を継続し、
前記第２モード点検処理部は、連動元又は連動先を示す警報表示の継続中に、点検操作を受け付けた場合、自己の点検結果に基づく点検情報を出力すると共に、点検操作を示すイベント信号を他の警報器に送信して点検情報を出力させることを特徴とする警報器。
【請求項５】
請求項２記載の警報器に於いて、
前記警報停止部は、前記モード選択部で第２モード点検処理部が選択されたときに、
連動元を示す異常警報の出力中に自己の警報停止操作を検出した場合、連動元を示す警報音と警報表示を継続し、更に他の警報器に警報停止信号を送信し、
連動元を示す異常警報の出力中に他の警報器から警報停止を示すイベント信号受信を検出した場合、連動元を示す警報音と警報表示を継続し、更に、
連動先を示す異常警報の出力中に自己の警報停止操作又は他の住警器から警報停止を示すイベント信号の受信を検出した場合、連動先を示す警報音を停止すると共に警報表示を継続し、
前記第２モード点検処理部は、連動元を示す警報音と警報表示の継続中に点検操作を受け付けた場合、点検操作を示すイベント信号を連動先の警報器に送信して点検情報を出力させることを特徴とする警報器。
【請求項６】
請求項１又は２記載の警報器に於いて、前記警報処理部は、連動元を示す警報表示の表示色と連動先を示す警報表示の表示色を異ならせたことを特徴とする警報器。
【請求項７】
請求項１又は２記載の警報器に於いて、火災等の異常を示す警報表示と、点検を示す表示の色を異ならせたことを特徴とする警報器。
【請求項８】
請求項１又は２記載の警報器に於いて、点検処理中について連動元と連動先の表示色を異ならせたことを特徴とする警報器。
【発明の詳細な説明】
【技術分野】
【０００１】
本発明は、火災やガス漏れなどの異常を検出して警報すると共に他の警報器に信号を送信して警報を連動出力させる警報器に関する。
【背景技術】
【０００２】
従来、住宅における火災を検出して警報する住宅用警報器（以下「住警器」という）が普及しており、近年にあっては、複数の住警器を相互に通信させ、１つの住警器の異常情報を他の警報器でも警報できる連動型警報システム向けの無線式住警器が実用化されており、これらの中には電池電源によって動作するものがある。
【０００３】
無線通信を行う連動型の警報システムにあっては、ある住警器で火災を検出した場合、火災を検出した連動元の住警器は、例えば「ウーウー火災警報器が作動しました  確認してください」との音声メッセージを出力し、一方、連動先の住警器では「ウーウー別の火災警報器が作動しました  確認してください」という音声メッセージを出力するようにしている。また、連動元の住警器の表示灯は点灯とし、連動先の住警器の表示灯は点滅とし、表示灯の表示からも連動元か連動先かが区別できるようにしている。
【０００４】
また、連動元と連動先の住警器で警報が行われた場合、住警器に設けている警報停止スイッチを操作すると、操作した住警器の警報を停止することができるようにしている。更に、警報停止スイッチは、通常の監視状態にあっては、点検スイッチとして機能する。通常監視状態で警報停止スイッチを操作すると、所定の内部点検処理が実行され、正常であれば、例えば「正常です」といった警報メッセージを含む点検メッセージを出力し、もし故障を検出していれば「ピッ  故障です」といった点検メッセージを出力する。
【先行技術文献】
【特許文献】
【０００５】
【特許文献１】特開２００７−０９４７１９号公報
【発明の概要】
【発明が解決しようとする課題】
【０００６】
しかしながら、このような従来の連動警報を行う無線式の住警器にあっては、連動元と連動先の住警器で警報が行われた場合に、警報を停止したい場合には、住警器毎に警報停止操作を必要とし、警報停止操作が煩雑になるという問題がある。
【０００７】
この問題を解決するためには、任意の住警器で警報停止操作を行った場合、連動関係にある全ての住警器の警報を一斉に停止することも考えられるが、全ての警報を停止してしまうと、火災を検出した連動元の警報器がどれか分からず、消火後の火元の特定や、誤報又は非火災報を発した住警器の特定が困難になるという問題がある。
【０００８】
この問題を解決するため本願発明者にあっては、警報停止操作を検出した時に、警報音を停止し、警報表示は残すようにした警報器を提案している。しかし、警報音を停止し警報表示を継続した状態で警報停止スイッチを操作した場合、点検機能を含めてどのような処理するかといった課題が残されている。
【０００９】
本発明は、警報停止操作により連動異常警報の警報音を停止し警報表示は継続させる警報停止処理を行った状態での点検操作を適切に処理して警報器の状態を容易に把握可能とする警報器を提供することを目的とする。
【課題を解決するための手段】
【００１０】
本発明は、
監視エリアの物理的現象を検出して出力するセンサ部と、
警報音と警報表示により異常警報を出力する報知部と、
警報中は警報停止操作手段として機能し、警報停止中は点検操作手段として機能する操作部と、
センサ部の検出出力による異常の有無及び操作部による停止操作又は点検操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出した時に、報知部からの警報音と警報表示により連動元を示す異常警報を出力させると共に、異常を示すイベント信号を他の警報器に送信させ、一方、他の警報器から異常を示すイベント信号を受信した時に、報知部からの警報音と警報表示により連動先を示す異常警報を出力させる警報処理部と、
を設けた警報器に於いて、
異常警報の出力中に自己の警報停止操作又は他の警報器から警報停止を示すイベント信号受信を検出した場合、警報音を停止すると共に警報表示を継続する警報停止部と、
警報処理部により異常警報が出力されていない状態で点検操作を検出した場合に点検情報を出力し、警報停止部による警報表示の継続中に点検操作を検出した場合、点検操作を受け付けて警報音の停止を解除して再度警報音を出力させる点検処理部と、
を設けたことを特徴とする。
【００１１】
また、本発明は、
監視エリアの物理的現象を検出して出力するセンサ部と、
警報音と警報表示により異常警報を出力する報知部と、
警報中は警報停止操作手段として機能し、警報停止中は点検操作手段として機能する操作部と、
センサ部の検出出力による異常の有無及び操作部による停止操作又は点検操作を含むイベントを検出するイベント検出部と、
イベント検出部で検出したイベントを示すイベント信号を他の警報器へ送信する送信処理部と、
他の警報器からのイベント信号を受信する受信処理部と、
イベント検出部で異常を検出した時に、報知部からの警報音と警報表示により連動元を示す異常警報を出力させると共に、異常を示すイベント信号を他の警報器に送信させ、一方、他の警報器から異常を示すイベント信号を受信した時に、報知部からの警報音と警報表示により連動先を示す異常警報を出力させる警報処理部と、
を設けた警報器に於いて、
異常警報の出力中に自己の警報停止操作又は他の警報器から警報停止を示すイベント信号受信を検出した場合、警報音を停止又は継続すると共に警報表示を継続する警報停止部と、
警報処理部により異常警報が出力されていない状態で点検操作を検出した場合に点検情報を出力し、警報停止部による警報表示の継続中に点検操作を検出した場合に点検操作をキャンセルする第１モード点検処理部と、
警報処理部により異常警報が出力されていない状態で点検操作を検出した場合に点検情報を出力し、警報停止部による警報表示の継続中に点検操作を検出したときに、警報音が停止している場合は点検操作を受け付けて処理し、警報音が継続している場合は点検操作をキャンセルする第２モード点検処理部と、
警報処理部により異常警報が出力されていない状態で点検操作を検出した場合に点検情報を出力し、警報停止部による警報表示の継続中に点検操作を検出した場合、点検操作を受け付けて警報音の停止を解除して再度警報音を出力させる第３モード点検処理部と、
第１点検モード処理部、第２モード点検処理部又は第３モード点検処理部のいずれか１つを選択して動作させるモード選択部と、
を設けたことを特徴とする。
【００１２】
ここで、警報停止部は、モード選択部で第１モード点検処理部又は第３モード点検処理部が選択されたときに、異常警報の出力中に自己の警報停止操作又は他の警報器から警報停止を示すイベント信号受信を検出した場合、警報音を停止すると共に警報表示を継続することを特徴とする。
【００１３】
また、警報停止部は、モード選択部で第２モード点検処理部が選択されたときに、
連動元を示す異常警報の出力中に自己の警報停止操作を検出した場合、連動元を示す警報音を停止すると共に警報表示を継続し、更に他の警報器に警報停止信号を送信し、
連動元を示す異常警報の出力中に他の警報器から警報停止を示すイベント信号受信を検出した場合、連動元を示す警報音を停止すると共に警報表示を継続し、更に、
連動先を示す異常警報の出力中に自己の警報停止操作又は他の住警器から警報停止を示すイベント信号の受信を検出した場合、連動先を示す警報音を停止すると共に警報表示を継続し、
第２モード点検処理部は、連動元又は連動先を示す警報表示の継続中に、点検操作を受け付けた場合、自己の点検結果に基づく点検情報を出力すると共に、点検操作を示すイベント信号を他の警報器に送信して点検情報を出力させる。
【００１４】
あるいは、警報停止部は、モード選択部で第２モード点検処理部が選択されたときに、
連動元を示す異常警報の出力中に自己の警報停止操作を検出した場合、連動元を示す警報音と警報表示を継続し、更に他の警報器に警報停止信号を送信し、
連動元を示す異常警報の出力中に他の警報器から警報停止を示すイベント信号受信を検出した場合、連動元を示す警報音と警報表示を継続し、更に、
連動先を示す異常警報の出力中に自己の警報停止操作又は他の住警器から警報停止を示すイベント信号の受信を検出した場合、連動先を示す警報音を停止すると共に警報表示を継続し、
第２モード点検処理部は、連動元を示す警報音と警報表示の継続中に点検操作を受け付けた場合、点検操作を示すイベント信号を連動先の警報器に送信して点検情報を出力させる。
【００１７】
警報器の警報処理部は、連動元を示す警報表示の表示色と連動先を示す警報表示の表示色を異ならせるようにしても良い。
【００１８】
また、火災等の異常を示す警報表示と、点検を示す表示の色を異ならせるようにしても良い。このようにすれば、警報中でなく点検処理中であることが、表示のうえでも識別出来る。
【００１９】
さらに、点検処理中についても連動元と連動先の表示色を異ならせることが出来る。このようにすれば、警報中か点検処理中か、そして連動元か連動先かを表示のうえで詳細に識別することが出来る。
【発明の効果】
【００２０】
本発明によれば、火災などの異常を検出して複数の警報器で連動警報が行われた場合、連動警報を出しているいずれかの警報器で警報停止操作を行うと、連動元及び連動先の警報音は停止するが消火後の火元の特定や、誤報又は非火災報を発した住警器の特定のため、警報表示はそのまま継続する。先述の通り通常時は警報停止スイッチを操作すると、所定の点検処理を実施して点検内容を示す点検メッセージを出力するが、警報表示の継続中は連動元で異常が継続して検出されている状況にある。
【００２１】
そこで、本発明にあっては、警報表示の継続中の警報停止スイッチの操作に対し
（１）点検操作を受付けずにキャンセル、
（２）点検操作を受付けて点検情報を出力、
（３）点検操作を受け付けて警報音の停止解除
といったいずれかの点検対応処理を行う。
【００２２】
即ち（１）の点検操作を受付けずにキャンセルする処理は、警報表示の継続中は異常の確認が完了していない可能性があることから、このような状況で警報器が正常か故障かを示す点検情報の出力は行わず、警報状態を重視した処理とすることができる。
【００２３】
また（２）の点検操作を受け付けて点検情報を出力する処理は、警報表示の継続中は、警報音は停止していることから、警報以外の情報を音声メッセージにより報知可能な状態にあり、この報知機能を有効に活用して警報器が正常か故障かを示す点検情報を出力させ、警報器の状態を正確に把握可能とし、もし連動元の警報器につき故障状態を示す点検情報が出力されれば、誤報や非火災報であったことが速やかに分かる。このとき、引き続き火災状態であればその旨を点検結果として再報知し、異常が無ければ異常無しにすると共に連動元であった旨を音声により報知しても良い。
【００２４】
更に（３）の点検操作を受付けて警報音の停止を解除する処理にあっては、火元確認や避難指示などでの混乱を回避するため警報音を停止して警報表示を継続させたような場合、再度、警報停止スイッチを操作することで、警報音の停止を解除して再び鳴動させ、連動元であったことを確実に確認させるなど、状況に応じて警報音との停止と停止解除が適切に選択できる。
【図面の簡単な説明】
【００２５】
【図１】本発明による無線式の住警器の外観を示した説明図
【図２】住宅に対する本発明の警報システムの設置状態を示した説明図
【図３】本実施形態における火災検出時の連動警報と警報停止操作後の連動警報を示した説明図
【図４】第１モード点検処理機能を備えた住警器の実施形態を示したブロック図
【図５】本実施形態で使用するイベント信号のフォーマットを示した説明図
【図６】図２の実施形態における基本的な処理を示したフローチャート
【図７】第１モード点検処理における異常検出時、警報停止操作時及び点検操作時の処理内容を連動元と連動先に分けてリスト形式で示した説明図
【図８】第１モード点検処理機能を備えた住警器による図６のステップＳ３における検出イベント対応処理の詳細を示したフローチャート
【図９】第１モード点検処理機能を備えた住警器による図６のステップＳ５における受信イベント対応処理の詳細を示したフローチャート
【図１０】第２モード点検処理機能を備えた住警器の実施形態を示したブロック図
【図１１】連動関係にある住警器について警報表示の継続状態と第２モード点検処理その１を示した説明図
【図１２】第２モード点検処理その１における異常検出時、警報停止操作時及び点検操作時の処理内容を連動元と連動先に分けてリスト形式で示した説明図
【図１３】第２モード点検処理その１の機能を備えた住警器による図６のステップＳ３における検出イベント対応処理の詳細を示したフローチャート
【図１４】第２モード点検処理その１の機能を備えた住警器による図６のステップＳ５における受信イベント対応処理の詳細を示したフローチャート
【図１５】連動関係にある住警器について警報表示の継続状態と第２モード点検処理その２を示した説明図
【図１６】第２モード点検処理その２における異常検出時、警報停止操作時及び点検操作時の処理内容を連動元と連動先に分けてリスト形式で示した説明図
【図１７】第２モード点検処理その２の機能を備えた住警器による図６のステップＳ３における検出イベント対応処理の詳細を示したフローチャート
【図１８】第２モード点検処理その２の機能を備えた住警器による図６のステップＳ５における受信イベント対応処理の詳細を示したフローチャート
【図１９】第３モード点検処理機能を備えた住警器の実施形態を示したブロック図
【図２０】連動関係にある住警器について警報表示の継続状態と第３モード点検処理を示した説明図
【図２１】第３モード点検処理における異常検出時、警報停止操作時及び点検操作時の処理内容を連動元と連動先に分けてリスト形式で示した説明図
【図２２】第３モード点検処理の機能を備えた住警器による図６のステップＳ３における検出イベント対応処理の詳細を示したフローチャート
【図２３】第３モード点検処理の機能を備えた住警器による図６のステップＳ５における受信イベント対応処理の詳細を示したフローチャート
【図２４】第１乃至第３モード点検処理のいずれかを選択して動作させる住警器の実施形態を示したブロック図
【図２５】連動元と連動先の表示色を異ならせた無線式住警器の実施形態を示した説明図
【図２６】図２５の実施形態における火災検出時の連動警報と警報停止操作後の連動警報を示した説明図
【発明を実施するための形態】
【００２６】
図１は本発明による無線式の住警器（住宅用火災警報器）の外観を示した説明図であり、図１（Ａ）に正面図を、図１（Ｂ）に側面図を示している。
【００２７】
図１において、本実施形態の住警器１０はカバー１２と本体１４で構成されている。カバー１２の中央には、周囲に煙流入口を開口し、その内部には検煙部１６が配置され、火災による煙が所定濃度に達したときに火災を検出するようにしている。
【００２８】
カバー１２に設けた検煙部１６の左下側には音響穴１８が設けられ、この背後にブザーやスピーカを内蔵し、警報音や音声メッセージを出力できるようにしている。検煙部１６の下側には警報停止スイッチ２０が設けられている。警報停止スイッチ２０は住警器の機能点検を指示する点検スイッチとしての機能を兼ねている。たとえば、火災警報時に警報停止スイッチ２０が操作されると警報を停止し、通常状態で警報停止スイッチ２０が操作されると機能点検を開始して結果を報知する。
【００２９】
更に、本実施形態にあっては、警報中に警報停止スイッチ２０を操作したときに、警報音は停止するが、警報表示は継続し、この状態で再度警報停止スイッチ２０が操作されると、以下の実施形態で明らかにする第１モード点検処理、第２モード点検処理、または第３モード点検処理が行われる。
【００３０】
点検処理で点検する内容としては例えば、検煙部（センサ）故障の有無、回路故障の有無、感度異常の有無、電源異常の有無、通信異常の有無、その他障害の有無やその他状態や履歴を表すデータ類等がある。
【００３１】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すように警報表示を行うＬＥＤ２２が配置されており、ＬＥＤ２２が点灯すると、警報停止スイッチ２０のスイッチカバーの部分を透過してＬＥＤ２２の点灯状態が外部から分かるようにしている。
【００３２】
また本体１４の裏側上部には取付フック１５が設けられており、設置する部屋の壁にビスなどをねじ込み、この取付フック１５をビスに通すことで、壁面に住警器１０を設置することができる。
【００３３】
なお図１の住警器１０にあっては、検煙部１６を備えた火災による煙を検出する住警器を例に取っているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００３４】
図２は住宅に対する本実施形態の警報システムの設置状態を示した説明図である。図２の例にあっては、住宅２４に設けられている台所、居間、主寝室、子供部屋のそれぞれに本実施形態の火災を検出して警報する住警器１０−１〜１０−４が設置され、更に屋外に建てられたガレージ２６にも住警器１０−５が設置されている。
【００３５】
住警器１０−１〜１０−５は、イベント信号を無線により相互に送受信する機能を備え、住宅全体の火災監視を行っている。
【００３６】
いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災発報を示すイベント信号を無線により送信する。他の住警器１０−１〜１０−３，１０−５、連動元の住警器１０−４からの火災発報を示すイベント信号を受信した場合に、警報音と警報表示により連動先としての警報動作を行う。
【００３７】
ここで連動元となった住警器１０−４の警報音としては、例えば音声メッセージにより「ウーウー  火災警報器が作動しました  確認してください」を出力する。一方、連動先の住警器１０−１〜１０−３，１０−５にあっては、「ウーウー  別の火災警報器が作動しました  確認してください」といった音声メッセージを出力する。
【００３８】
また連動元となった住警器１０−４の警報に伴う表示としては、ＬＥＤ２２を例えば点灯させる。一方、連動先の住警器１０−１〜１０−３，１０−５にあっては、ＬＥＤ２２を例えば点滅させる。これによって、連動元警報と連動先警報におけるＬＥＤ２２による警報表示を区別できるようにしている。
【００３９】
なお、連動元のＬＥＤ２２を点滅とし、連動先のＬＥＤ２２を点灯としても良いし、連動元警報と連動先警報のいずれについても、同じＬＥＤ２２の明滅または点滅、点灯表示であっても良い。
【００４０】
図３は本実施形態における警報停止の例を示している。本実施形態にあっては、住警器１０−１〜１０−５が警報音を出している状態で、いずれかの警報停止スイッチ２０を操作すると、原則として警報音を停止し、警報表示を継続させる停止処理が行われる。なお、以下の実施形態にあっては、連動元については警報音と警報表示を継続させる場合がある。
【００４１】
図３（Ａ）は連動関係にある住警器１０−１〜１０−５の中の住警器１０−１が火災を検出し、住警器１０−１が警報音とＬＥＤ２２をたとえば点灯する警報表示により連動元を示す火災警報を行い、残りの住警器１０−２〜１０−５が警報音とを出力すると共にＬＥＤ２２をたとえば点滅する警報表示により連動先を示す火災警報を行っている。
【００４２】
この連動警報の状態で、連動元の住警器１０−１及び連動先の警報器１０−２〜１０−５のいずれかに設けている警報停止スイッチ２０を操作すると、図３（Ｂ）に示すように、連動元の住警器１０−１及び連動先の住警器１０−２〜１０−５で行っている警報音は停止するが、ＬＥＤ２２の点灯又は点滅による警報表示はそのまま継続するようにしている。
【００４３】
これによって連動警報が行われた場合、住警器１０−１〜１０−５の設置場所に出向いて警報停止操作を行わなくとも、住警器１０−１〜１０−５の内の任意の住警器の警報停止操作で連動元、連動先の警報音を全て停止することができ、停止操作が簡単且つ容易にできる。
【００４４】
また、任意の警報器で警報停止操作を行っても、連動元の警報器１０−１におけるＬＥＤ２２の点灯による警報表示は継続され、連動先の警報器１０−２〜１０−５におけるＬＥＤ２２の点滅による警報表示は継続され、消火後の火元の特定や、誤報または非火災報を発した住警器の特定が簡単且つ確実にできる。
【００４５】
警報停止後に継続している連動元の住警器１０−１のＬＥＤ２２による警報表示は、タイマ設定で決まる所定時間経過で停止する。
【００４６】
図３（Ｂ）のように、警報停止スイッチ２０の操作を検出して警報音を停止し、警報表示を継続させた状態で、警報停止スイッチ２０の操作（点検操作）を検出すると、本発明あっては、次のいずれかの点検処理を行う。
（１）第１モード点検処理
警報表示の継続中に点検操作を検出した場合に点検操作をキャンセルする。
（２）第２モード点検処理
警報表示の継続中に点検操作を検出した場合、点検操作を受け付けて処理する。
（３）第３モード点検処理
警報表示の継続中に点検操作を検出した場合、点検操作を受け付けて警報音の停止を解除して再度警報音を出力させる。
【００４７】
更に、（２）の第２モード点検処理にあっては、次のその１とその２の処理がある。
（第２モード点検処理その１）
警報停止操作により連動元及び連動先の警報器の警報音を停止し、警報表示を継続し、この状態で点検操作を検出すると、連動元及び連動先で所定の点検処理を実施し点検メッセージを出力させる。
（第２モード点検処理その２）
警報停止操作により連動元の警報器は警報音と警報表示を継続し、連動先の警報器は警報音を停止し、警報表示を継続し、この状態で点検操作を検出すると、警報音を停止している連動先の警報器のみで所定の点検処理が実施され点検メッセージが出力される。
【００４８】
（第１モード点検処理）
図４は第１モード点検処理機能を備えた住警器の実施形態を示したブロック図であり、図２に示した５台の住警器１０−１〜１０−５につき、その内の住警器１０−１について回路構成を詳細に示している。他の住警器１０−２〜１０−５も同様の構成となる。
【００４９】
住警器１０−１と他の住警器１０−２〜１０−５を結ぶ矢印はそれぞれが相互に通信することを示しているが、たとえば住警器１０−２と住警器１０−３なども相互に通信させるようにしている。もちろん、住警器１０−１をシステムの親機として、図６の矢印の経路でのみ通信するようにしても、本発明を適用することが出来る。
【００５０】
住警器１０−１はワンチップＣＰＵとして知られたプロセッサ２８を備え、プロセッサ２８に対してはアンテナ３１を備えた無線通信部３０、記録回路部（メモリ）３２、センサ部３４、報知部３６、操作部３８及び電池電源４０を設けている。
【００５１】
無線通信部３０には送信回路４２と受信回路４４が設けられ、他の住警器１０−２〜１０−５との間でイベント信号を無線により送受信できるようにしている。無線通信部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００５２】
もちろん無線通信部３０としては、日本国内以外の場所については、その地域の割当無線局の標準規格に準拠した内容を持つことになる。
【００５３】
記憶部としてのメモリ３２には、イベント信号の順番を示す連続番号である連番４８、住警器を特定するＩＤ（識別子）となる送信元符号５０及び図２のように住宅の設置した住警器１０−１〜１０−５で連動警報を行う連動グループを構成するためのグループ符号５２が格納されている。
【００５４】
連番４８は警報器間の通信に於いてイベント信号の中継処理等を管理するためのものであるが、本実施形態に直接関係しないので詳細な説明を省略する。
【００５５】
送信元符号５０としては、国内に提供される住警器の数を予測し、例えば同一符号として重複しないように２６ビットの符号コードが使用される。送信元符号５０としてはたとえば、住警器のシリアルナンバー等を用いる。
【００５６】
グループ符号５２は連動グループを構成する複数の住警器に共通に設定される符号であり、無線通信部３０で受信した他の住警器からのイベント信号に含まれるグループ符号がメモリ３２に登録しているグループ符号５２に一致したときに、このイベント信号を有効な信号として受信して処理することになるので、近隣の住宅等に設置された、連動を要しない他グループの警報器との混信を回避出来る。
【００５７】
センサ部３４には、煙を検出して信号を出力する検煙部１６を設けている。
【００５８】
センサ部３４には検煙部１６以外に、火災による温度を検出するサーミスタ等の温度検出素子や、火災に伴うその他の物理現象変化を検出する各種素子を設けてもよい。
【００５９】
報知部３６には警報音を出力するスピーカ５８と警報に伴う表示（警報表示）を行うＬＥＤ２２が設けられている。スピーカ５８は、図示しない音声合成回路部からの音声メッセージや警報音を出力する。ＬＥＤ２２は点滅や明滅、点灯などにより、火災などの異常を警報表示する。スピーカ５８に代えて、ブザー等を用いても良い。
【００６０】
操作部３８には警報停止スイッチ２０が設けられている。警報停止スイッチ２０は、報知部３６が警報音と警報表示を行っているときにのみ警報停止スイッチとして有効となる。連動元を示す警報中に警報停止スイッチ２０を操作すると、警報音は停止し、警報表示は継続され、一方、連動先を示す警報音出力中に警報停止スイッチ２０を操作すると、同様に、警報音は停止し、警報表示は継続する。
【００６１】
一方、連動元または連動先を示す火災警報を行っていない通常監視状態で警報停止スイッチ２０は点検スイッチとして機能し、この状態で点検スイッチを押すと、所定の点検動作が実行されて報知部３６から点検結果を示す点検メッセージなどが出力される。この点検メッセージは、正常時はたとえば「正常です」を１回出力し、センサ障害時はたとえば「ピッ  故障です」を１回出力し、更に、ローバッテリー障害ときはたとえば「ピッ  電池切れです」を１回出力する。
【００６２】
電池電源４０は、例えば所定セル数のリチウム電池やアルカリ乾電池を使用しており、電池容量としては住警器１０−１における無線通信部３０を含む回路部全体の低消費電力化により、例えば１０年の電池寿命を保証している。
【００６３】
プロセッサ２８にはプログラムの実行により実現される機能として、イベント検出部６０、送信処理部６２、受信処理部６４、警報処理部６６、警報停止部６８及び第１モード点検処理部７０−１が設けられている。
【００６４】
イベント検出部６０は、センサ部３４による異常検出、操作部２８による警報停止または点検指示、センサ部３４の異常検出がなくなる異常復旧を含むイベントを検出する。
【００６５】
送信処理部６２は、イベント検出部６０によりセンサ部３４による異常検出、操作部３８による警報停止または点検指示、センサ部３４の異常検出がなくなる異常復旧を含む自己のイベントを検出したときに、検出イベントを示すイベント信号を連動先となる他の住警器に送信させる。受信処理部６４は、住警器１０−２〜１０−５からのイベント信号を受信して解読する。
【００６６】
警報処理部６６は、イベント検出部６０で自己の異常として火災を検出したときにスピーカ５８から連動元を示す警報音を出力すると共に、ＬＥＤ２２を駆動して連動元を示す警報表示を行い、更に、火災を示すイベント信号を他の住警器に送信する。
【００６７】
具体的に説明すると、警報処理部６６は、センサ部３４からの煙検出信号に基づいてイベント検出部６０で火災を検出したときに、報知部３６のスピーカ５８から連動元を示す警報音例えば「ウーウー 火災警報器が作動しました 確認してください」を繰り返し出力させると共に、ＬＥＤ２２を点灯して連動元を示す警報表示を行い、更に、火災発報を示すイベント信号を無線通信部３０の送信回路４２によりアンテナ３１から他の住警器１０−２〜１０−５に向けて送信させる。
【００６８】
また警報処理部６６は、他の住警器１０−２〜１０−５のいずれかから火災発報を示すイベント信号を無線通信部３０の受信回路４４により受信し、受信処理部６４で有効となったときに、報知部３６のスピーカ５８から連動先を示す警報音例えば「ウーウー  別の火災警報器が作動しました  確認してください」となる警報音を繰り返し出力させ、同時にＬＥＤ２２を点滅して連動先を示す警報表示を行う。
【００６９】
警報停止部６８は、連動元を示す異常警報音の出力中に操作部３８に設けた警報停止スイッチ２０の警報停止操作を検出した場合、連動元を示すスピーカ５８からの警報音例えば「ウーウー  火災警報器が作動しました  確認してください」を停止すると共にＬＥＤ２２の明滅点灯による警報表示を継続させ、更に、他の住警器１０−２〜１０−５に警報停止を示すイベント信号を送信する。
【００７０】
ここで、連動元、連動先を問わず、警報音の出力と共に警報表示を行い、警報停止後に警報音を停止して警報表示を継続するのに代えて、警報音出力中は警報表示を行わず、警報停止により警報音を停止したときに警報表示を行うようにしても良い。
【００７１】
また、警報停止部６８は、自己の警報停止操作又は他の警報器からの警報停止を示すイベント信号受信を検出したときに継続した連動元を示す警報音及び警報表示を、異常復旧を示すイベント信号受信または所定時間経過を検出したときに停止する。
【００７２】
また警報停止部６８は、連動先を示す異常警報の出力中に他の住警器からの警報停止を示すイベント信号の受信を検出した場合、連動先を示すスピーカ５８からの警報音例えば「ウーウー  別の火災警報器が作動しました  確認してください」を停止し、ＬＥＤ２２の点滅による警報表示は継続とする。連動元からの警報停止信号受信の場合には、警報表示を停止するようにしても良い。
【００７３】
第１モード点検処理部７０−１は、警報処理部６６により火災警報が出力されていない通常状態で警報停止スイッチ２０の操作を検出した場合に所定の点検処理を実施して点検結果を示すメッセージ（以下、点検メッセージ）を出力し、一方、警報停止部６８による警報表示の継続中に点検操作を検出した場合に点検操作をキャンセルする。
【００７４】
更に詳細には、第１モード点検処理部７０−１は、警報停止部６８による連動元又は連動先を示す警報音を停止し、警報表示を継続中に点検操作を検出した場合、点検操作をキャンセルする。これによって、警報停止を検出して警報音を停止した状態で、警報停止スイッチ２０を操作して点検を指示しようとしても、この点検操作は受け付けられずにキャンセルされ、警報表示の継続中に点検メッセージは出力されず、点検メッセージによる警報時の混乱を回避できる。
【００７５】
図５は本実施形態で使用するイベント信号のフォーマットを示した説明図である。図５において、イベント信号４６は連番４８、送信元符号５０、グループ符号５２及びイベント符号５４で構成されている。
【００７６】
連番４８はイベント信号の順番を示す連続番号であり、イベント信号を送信する毎に１つずつ増加させる。また、連番４８は住警器１０−１〜１０−５の各々で非同期に生成している。連番４８は警報器間の通信に於いてイベント信号の中継処理等を管理するためのものであるが、本実施形態に直接関係しないので詳細な説明を省略する。
【００７７】
送信元符号５０は住警器のシリアル番号等を使用する、例えば２６ビットの符号である。グループ符号５２は例えば８ビットの符号であり、同一グループを構成する例えば図１の住警器１０−１〜１０−５につき同じグループ符号が設定されている。
【００７８】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００７９】
イベント符号５４は、火災、ガス漏れなどのイベント内容を表す符号であり、本実施形態にあっては３ビット符号を使用しており、例えば「００１」で火災、「０１０」でガス漏れ、「０１１」で盗難、「１００」で警報停止、「１０１」で復旧、「１１０」で点検、残りをリザーブとしている。なおイベント符号５４のビット数は、更に４ビット、５ビットと増加させることで、更に多くのイベント内容を表すことができる。
【００８０】
図６は図２の実施形態における住警器の基本的な処理を例示したフローチャートである。図６において、住警器１０−１の電池電源４０から電源供給が開始されると、ステップＳ１で初期化及び自己診断を実行し、異常がなければステップＳ２に進み、イベント検出部６０によるイベント検出の有無をチェックし、イベント検出を判別するとステップＳ３に進み、検出イベントに対応した処理を実行する。
【００８１】
続いてステップＳ４で他の住警器からのイベント信号の受信の有無をチェックしており、イベント信号受信を判別するとステップＳ５に進み、受信イベントに対応した処理を実行する。
【００８２】
図７は第１モード点検処理を備えた住警器における異常（この場合は火災）検出時、警報停止操作時及び点検操作時の処理内容を連動元と連動先に分けてリスト形式で例示した説明図である。
【００８３】
図７において、連動元と連動先の警報種別は、警報音と警報表示であり、異常検出時、連動元は連動元警報音と点灯の警報表示を行う。また火災イベント信号受信による異常検出時、連動先は連動先警報音と点滅の警報表示を行う。
【００８４】
この異常検出に基づく連動元および連動先の警報状態で、任意の住警器で警報停止スイッチ２０による警報停止の操作が検出されると、連動元の警報音は継続または停止とし、警報表示は継続する。これに対し連動先の場合、警報音は停止するが、警報表示については継続とする。この場合の継続とは、所定期間停止の後に再駆動することを含む。
【００８５】
図８は第１モード点検処理機能を備えた住警器による図６のステップＳ３における検出イベント対応処理の詳細例を示したフローチャートであり、プロセッサ２８のプログラムの実行による処理となる。
【００８６】
図８において、検出イベント対応処理は、ステップＳ１１で火災発生を監視しており、センサ部３４から出力された煙検出信号が所定の火災レベルを超えると火災発生を判別してステップＳ１２に進み、連番、送信元符号、グループ符号、火災を示すイベント符号を含むイベント信号を他の住警器に無線送信した後、ステップＳ１３でスピーカ５８からの警報音とＬＥＤ２２の点灯による警報表示とにより連動元を示す火災警報を出力する。
【００８７】
続いて、ステップＳ１４でセンサ部３４からの煙検出信号が低下して火災検出がなくなる火災復旧の有無を判別しており、火災復旧を判別するとステップＳ１５で連番、送信元符号、グループ符号、火災復旧を示すイベント符号を含むイベント信号を他の住警器に送信する。そして、ステップＳ１６で連動元を示す警報音出力を停止し、警報表示は継続する。
【００８８】
続いてステップＳ１７で警報停止スイッチ２０の操作の有無を判別し、スイッチ操作が判別されるとステップＳ１８で警報中の有無を判別する。ステップＳ１８で警報中が判別されると、ステップＳ１９に進んでイベント符号を含むイベント信号を他の住警器に送信し、続いてステップＳ２０で連動元を示すスピーカ５８からの警報音を停止し、ＬＥＤ２２の点灯による警報表示を継続する。
【００８９】
またステップＳ１８で警報中でなかった場合には、ステップＳ２１に進んで警報停止中か否か、即ち警報音を停止し、警報表示を継続している状態か否か判別し、警報停止中を判別するとステップＳ２２に進み、警報停止スイッチ２０による点検操作の受付けをキャンセルする。
【００９０】
ステップＳ２１で警報停止中でないことを判別した場合、これは通常状態であることからステップＳ２３に進んで点検操作を受付け、ステップＳ２４で連番、送信元符号、グループ符号、点検を示すイベント符号を含むイベント信号を他の住警器に送信し、ステップＳ２５に進んで所定の点検処理を行い、連動元を示すスピーカ５８から点検結果として例えばそのときの住警器の状態を示す点検メッセージを出力させる。
【００９１】
ステップＳ２６にあっては、所定時間の経過を判別したときにステップＳ２７に進み、ステップＳ１６又はステップＳ２０で継続した警報表示を停止する。
【００９２】
図９は第１モード点検処理機能を備えた住警器による図６のステップＳ５における受信イベント対応処理の詳細例を示したフローチャートであり、プロセッサ２８のプログラムの実行による処理となる。
【００９３】
図９において、ステップＳ３１で他の住警器からの火災を示すイベント信号受信の有無を判別している。他の住警器からの火災を示すイベント信号受信を判別すると、ステップＳ３２に進んで連動先を示す火災警報としてスピーカ５８からの警報音とＬＥＤ２２の点滅による警報表示を行う。
【００９４】
次にステップＳ３３で他の住警器からの火災復旧を示すイベント信号受信の有無を判別しており、火災復旧を示すイベント信号を受信すると、ステップＳ３４に進んで連動先の警報として行っているスピーカ５８からの警報音とＬＥＤ２２の点滅による警報表示を停止する。
【００９５】
次にステップＳ３５で他の住警器からの警報停止を示すイベント信号の受信の有無をチェックしており、警報停止を示すイベント信号の受信を判別すると、ステップＳ３６に進んで警報中の有無を判別し、警報中を判別するとステップＳ３７に進んで連動元または連動先の警報音を停止し、警報表示は継続させる。
【００９６】
次にステップＳ３８で他の住警器からの点検を示すイベント信号の受信の有無をチェックしており、点検を示すイベント信号の受信を判別すると、ステップＳ３９に進んで警報停止中の有無を判別し、警報停止中を判別するとステップＳ４０に進んでイベント信号受信で受付けた点検イベントをキャンセルする。
【００９７】
次に、ステップＳ３９で警報停止中でないことを判別した場合は、これは通常時であることからステップＳ４１に進んで点検イベントを受付け、ステップＳ４２で所定の点検処理を行い、点検結果として例えば住警器の状態を示す点検メッセージをスピーカ５８から出力させる。
【００９８】
ステップＳ４３にあっては、所定時間の経過を判別したときにステップＳ４４に進み、ステップＳ３７で継続した警報表示を停止する。
【００９９】
（第２モード点検処理）
図１０は、第２モード点検処理機能を備えた住警器の実施形態を示したブロック図であり、住警器１０−１に代表して示すように、図４に示した住警器１０−１のプロセッサ２８内に設けた第１モード点検処理部７０−２に代え、第２モード点検処理部７０−２を設けている。なお、住警器１０−１のそれ以外の構成及び機能は図４の実施形態と同じになることから、相違点となる第２モード点検処理部７０−２のみを示している。この第２モード点検処理部７０−２による処理は、その１とその２の二つの処理がある。
【０１００】
（第２モード点検処理その１）
図１１は連動関係にある住警器について警報表示の継続状態と第２モード点検処理その１を示した説明図である。図１１（Ａ）は図３（Ｂ）に示した連動元の住警器１０−１及び連動先の警報器１０−２〜１０−５のいずれかに設けている警報停止スイッチ２０を操作して、連動元の住警器１０−１及び連動先の住警器１０−２〜１０−５の警報音を停止し、ＬＥＤ２２の点灯又は点滅による警報表示は継続した状態である。
【０１０１】
この状態でＬＥＤ２２の点灯または点滅により警報表示を継続している住警器１０−１〜１０−５のいずれかの警報停止スイッチ２０を操作すると、点検操作が受付けられ、所定の点検処理が実施されて、図１１（Ｂ）に示すように、連動元の住警器１０−１及び連動先の住警器１０−２〜１０−５から例えばそれぞれの状態を示す点検メッセージが出力される。
【０１０２】
図１２は第２モード点検処理その１の機能を備えた住警器における異常（この場合は火災）検出時、警報停止操作時及び点検操作時の処理内容を連動元と連動先に分けてリスト形式で示した説明図である。
【０１０３】
図１２において、連動元と連動先の警報種別は、警報音と警報表示であり、異常検出時、連動元は連動元警報音と点灯の警報表示を行う。また異常検出時、連動元からの火災イベント信号受信により連動先は連動先警報音と点滅の警報表示を行う。
【０１０４】
この異常検出に基づく連動元および連動先の警報状態で、任意の住警器で警報停止スイッチによる警報停止操作が検出されると、警報停止の連動により連動元及び連動先の警報音は停止とし、警報表示は継続する。
【０１０５】
この警報表示の継続中に、警報停止スイッチにより点検操作を行うと、この点検操作が受付けられ、点検の連動により連動元および各連動先につき、所定の点検処理が実施されて点検結果を示す点検メッセージを出力する。
【０１０６】
図１３は第２モード点検処理その１の機能を備えた住警器による図６のステップＳ３における検出イベント対応処理の詳細例を示したフローチャートである。
【０１０７】
図１３において、ステップＳ５１〜Ｓ６０は図８のステップＳ１１〜Ｓ２０と同じであり、またステップＳ６５〜Ｓ６９は図８のステップＳ２３〜Ｓ２７と同じになる。ステップＳ６１〜Ｓ６４が第２モード点検処理その１に固有な処理となる。
【０１０８】
即ち、ステップＳ５７で警報停止スイッチ２０の操作を判別した場合、ステップＳ５８に進んで警報中か否か判別し、警報中でないことを判別するとステップＳ６１に進んで警報停止中か否か、即ち警報音を停止し、警報表示を継続している状態か否か判別する。ステップＳ６１で警報停止中を判別するとステップＳ６２に進んで点検操作を受付け、ステップＳ６３で他の住警器に連番、送信元符号、グループ符号、点検を示すイベント符号を含むイベント信号を送信し、ステップＳ６４に進んで所定の点検処理を実施し、連動元を示すスピーカ５８から点検結果として例えばそのときの住警器の状態を示すメッセージを出力させる。
【０１０９】
このステップＳ６２〜Ｓ６４の警報停止中に点検操作を判別した場合の処理は、ステップＳ６５〜Ｓ６７の通常時の点検処理と同じルーチンになるが、警報停止中の点検受付けによる処理を明確にするため、分けて示している。
【０１１０】
図１４は第２モード点検処理その１の機能を備えた住警器による図６のステップＳ５における受信イベント対応処理の詳細例を示したフローチャートである。
【０１１１】
図１４において、ステップＳ７１〜Ｓ７９は図９のステップＳ３１〜Ｓ３９と同じであり、またステップＳ８２〜８５は図９のステップＳ４１〜Ｓ４４と同じになる。ステップＳ８０、Ｓ８１が第１モード点検処理その１に固有な処理となる。
【０１１２】
即ち、ステップＳ７８で点検を示すイベント信号受信を判別した場合、ステップＳ７９に進んで警報停止中か否か判別し、ステップＳ７９で警報停止中を判別するとステップＳ８０に進んで点検イベントを受付け、ステップＳ８１で所定の点検処理を実施し、点検結果として例えば住警器の状態を示すメッセージをスピーカ５８から出力させる。
【０１１３】
このステップＳ８０，Ｓ８１の警報停止中に点検操作を判別した場合の処理は、ステップＳ８２，Ｓ８３の通常時の処理と同じルーチンとなるが、警報停止中の点検受付けによる処理を明確にするため、分けて示している。
【０１１４】
（第２モード点検処理その２）
図１５は連動関係にある住警器について警報表示の継続状態と第２モード点検処理その２を例示した説明図である。図１５（Ａ）は図３（Ａ）の警報状態で連動元の住警器１０−１及び連動先の警報器１０−２〜１０−５のいずれかに設けている警報停止スイッチ２０を操作した状態であり、連動元の住警器１０−１の警報音とＬＥＤ２２の点灯による警報表示はそのまま継続し、連動先の住警器１０−２〜１０−５の警報音を停止し、ＬＥＤ２２の点滅による警報表示はそのまま継続した状態としている。
【０１１５】
この警報停止状態で住警器１０−１〜１０−５のいずれかの警報停止スイッチ２０を操作すると、点検操作が受付けられ、図１５（Ｂ）に示すように、連動元の住警器１０−１の警報音と警報表示はそのまま継続した状態で、連動先の住警器１０−２〜１０−５からそれぞれの点検結果に応じた点検メッセージを出力させるようにしている。
【０１１６】
これによって警報音を停止し、警報表示は継続している連動先の住警器１０−２〜１０−５から点検メッセージが出力され、連動先の住警器１０−２〜１０−５に異常がないかを知ることができる。
【０１１７】
図１６は第２モード点検処理その２の機能を備えた住警器における異常検出時、警報停止操作時及び点検操作時の処理内容を連動元と連動先に分けてリスト形式で例示した説明図である。
【０１１８】
図１６において、連動元と連動先の警報種別は、警報音と警報表示であり、異常検出時、連動元は連動元警報音と点灯の警報表示を行う。また異常検出時、連動元からの火災イベント信号受信により連動先は連動先警報音と点滅の警報表示を行う。
【０１１９】
この異常検出に基づく連動元および連動先の警報状態で、任意の住警器で警報停止スイッチによる警報停止操作が検出されると、連動元の警報音と警報表示は継続し、連動先は警報音を停止とし、警報表示は継続する。
【０１２０】
この警報表示の継続中に、いずれかの警報器で警報停止スイッチ２０により点検操作を行うと、警報音を継続している連動元については点検操作がキャンセルされ、これに対し連動先については点検操作を受付けて、点検結果を示す点検メッセージを出力する。
【０１２１】
図１７は第１モード点検処理その１の機能を備えた住警器による図６のステップＳ３における検出イベント対応処理の詳細例を示したフローチャートである。
【０１２２】
図１７において、ステップＳ９１〜Ｓ９６は図１３のステップＳ５１〜Ｓ５６と同じであるが、ステップＳ９７〜Ｓ１００が第２モード点検処理その２に固有な処理となる。即ち、ステップＳ９７で警報停止スイッチ２０の操作を判別した場合、ステップＳ９８に進んで警報中か否か判別し、警報中を判別するとステップＳ９９に進んで他の住警器に連番、送信元符号、グループ符号、警報停止を示すイベント符号を含むイベント信号を送信し、連動先の住警器に警報音と警報表示を停止させる。続いてステップＳ１００に進んで連動元の警報音と警報表示を継続させる。
【０１２３】
ステップＳ９７で警報停止スイッチの操作を判別し、続いてステップＳ９８で警報中でないことを判別した場合、ステップＳ１０１に進んで警報停止中か否か判別する。ステップＳ１０１で警報停止中を判別するとステップＳ１０２に進んで点検操作の受付けをキャンセルし、ステップ１０１で警報停止中でないことを判別した場合は、ステップＳ１０５に進んで点検操作を受付け、ステップＳ１０６で他の住警器に連番、送信元符号、グループ符号、点検を示すイベント符号を含むイベント信号を送信し、ステップＳ１０７で所定の点検処理を実施し、点検結果を示すメッセージをスピーカ５８から出力させる。
【０１２５】
ステップＳ１０８にあっては、所定時間の経過を判別したときにステップＳ１０９に進み、ステップＳ９６で継続した警報表示又はステップＳ１００で継続した警報音と警報表示を停止する。
【０１２６】
図１８は第２モード点検処理その２の機能を備えた住警器による図６のステップＳ５における受信イベント対応処理の詳細を例示したフローチャートである。
【０１２７】
図１８において、ステップＳ１１１〜Ｓ１１７は図１４のステップＳ７１〜Ｓ７７と同じになる。即ち、ステップＳ１１５で他の住警器からの警報停止を示すイベント信号の受信を判別すると、ステップＳ１１６に進んで警報中にあるか否か判別し、警報中であることを判別するとステップＳ１１７に進み、連動先を示す警報音を停止し、警報表示は継続させる。
【０１２８】
またステップＳ１１８〜Ｓ１２５は図１４のステップＳ７８〜Ｓ８５と同じであり、ステップＳ１１８で点検を示すイベント信号の受信を判別すると、ステップＳ１１９に進んで警報停止中か否か判別し、警報停止中を判別するとステップＳ１２０に進んで点検イベントを受付け、ステップＳ１２１で所定の点検処理を実施し点検結果を示すメッセージをスピーカ５８から出力させる。
【０１２９】
このステップＳ１２０、Ｓ１２１の警報停止中に点検操作を判別した場合の処理は、ステップＳ１２２，Ｓ１２３の通常時の処理と同じルーチンとなるが、警報停止中の点検受付けによる処理を明確にするため、分けて示している。
【０１３０】
ステップＳ１２４にあっては、所定時間の経過を判別したときにステップＳ１２５に進み、ステップＳ１１４又はステップＳ１１７で継続した警報表示を停止する。
【０１３１】
（第３モード点検処理）
図１９は、第３モード点検処理機能を備えた住警器の実施形態を例示したブロック図であり、住警器１０−１に代表して示すように、図４に示した住警器１０−１の第１モード点検処理部７０−２に代え、第３モード点検処理部７０−３を設けている。なお、住警器１０−１のそれ以外の構成及び機能は図４の実施形態と同じになることから、相違点となる第３モード点検処理部７０−３のみを示している。
【０１３２】
図２０は連動関係にある住警器について警報表示の継続状態と第３モード点検処理を例示した説明図である。図２０（Ａ）は図３（Ａ）の警報状態で連動元の住警器１０−１及び連動先の警報器１０−２〜１０−５のいずれかに設けている警報停止スイッチ２０を操作した状態であり、連動元の住警器１０−１の警報音とＬＥＤ２２の点灯による警報表示はそのまま継続し、連動先の住警器１０−２〜１０−５の警報音を停止し、ＬＥＤ２２の点滅による警報表示はそのまま継続した状態としている。
【０１３３】
この警報停止状態で住警器１０−１〜１０−５のいずれかの警報停止スイッチ２０を操作すると、点検操作が受付けられ、図２０（Ｂ）に示すように、連動先の住警器１０−２〜１０−５の警報音の停止が解除され、連動元および連動先の警報音としての音声メッセージが再度出力される。連動元である住警器１０−１は警報音を継続中であるが、あらためて警報音を出力する。
【０１３４】
これによって一度警報停止スイッチ２０の操作で警報音を停止した後の連動先の警報表示の継続中に、必要に応じて再度警報停止スイッチ２０を操作することで、警報音としての音声メッセージの出力を再開することかできる。
【０１３５】
なお、連動警報中に連動元の住警器１０−１で警報停止スイッチ２０が操作された場合には、図２０（Ａ）において、住警器１０−１の警報音は停止して、警報表示のみを継続させるようにしても良い。その場合は、次に何れかの警報器で警報停止スイッチ２０が操作されたときに、全ての住警器の警報音を再出力させることになる。また、連動警報中に連動先で警報停止スイッチ２０が操作された場合に連動元の警報音を停止することは、安全確保上望ましくない面があるが、このような場合も警報表示が継続されている間にいずれかの住警器の警報停止２０が操作されたときに警報音を再出力させることが出来、このようにすれば、本発明の目的の少なくとも一部を達成することが出来る。
【０１３６】
図２１は第３モード点検処理機能を備えた住警器における異常検出時、警報停止操作時及び点検操作時の処理内容を連動元と連動先に分けてリスト形式で例示した説明図である。
【０１３７】
図２１において、連動元と連動先の警報種別は、警報音と警報表示であり、異常検出時、連動元は連動元警報音と点灯の警報表示を行う。また異常検出時、連動元からの火災イベント信号受信により連動先は連動先警報音と点滅の警報表示を行う。
【０１３８】
この異常検出に基づく連動元および連動先の警報状態で、任意の住警器で警報停止スイッチによる警報停止操作が検出されると、連動元の警報音は継続し、連動先の警報音は停止し、連動元及び連動先の警報表示は継続する。
【０１３９】
この警報表示の継続中に、いずれかの住警器の警報停止スイッチ２０により点検操作を行うと、この点検操作が受付けられ、連動元および連動先につき、再度、警報音を出力する。
【０１４０】
図２２は第３モード点検処理の機能を備えた住警器による図６のステップＳ３における検出イベント対応処理の詳細例を示したフローチャートである。
【０１４１】
図２２において、ステップＳ１３１〜Ｓ１４０及びステップＳ１４７，Ｓ１４８は図８のステップＳ１１〜Ｓ２０及びステップＳ２６，Ｓ２７と同じであるが、ステップＳ１４１〜Ｓ１４６が第３モード点検処理に固有な処理となる。即ち、ステップＳ１３７で警報停止スイッチ２０の操作を判別した場合、ステップＳ１３８に進んで警報中か否か判別し、警報中でないことを判別するとステップＳ１４１に進んで警報停止中か否か判別する。ステップＳ１４１で警報停止中を判別すると、ステップＳ１４２に進んで点検操作を受付け、ステップＳ１４３で警報音をあらためて出力させる。
【０１４２】
またステップＳ１４４〜Ｓ１４６は図８のステップＳ２３〜Ｓ２５と同じになる。即ち、ステップＳ１４１で警報停止中でないことを判別すると、これは通常の監視状態であることからステップＳ１４４に進んで点検指示を受け付け、ステップＳ１４５に進んで他の住警器に連番、送信元符号、グループ符号、点検を示すイベント符号を含むイベント信号を送信し、ステップＳ１４６で所定の点検処理を実施し、点検結果を示すメッセージをスピーカ５８から出力させる。
【０１４３】
図２３は第３モード点検処理の機能を備えた住警器による図６のステップＳ５における受信イベント対応処理の詳細例を示したフローチャートである。
【０１４４】
図２３において、ステップＳ１５１〜Ｓ１５９及びステップＳ１６２〜Ｓ１６５は図９のステップＳ３１〜Ｓ３９及びステップＳ４１〜Ｓ４４と同じになる。ステップＳ１６０〜Ｓ１６５が第３モード点検処理に固有な処理となる。即ち、ステップＳ１５８で点検を示すイベント信号の受信を判別すると、ステップＳ１５９に進んで警報停止中にあるか否か判別し、警報停止中であることを判別するとステップＳ１６０に進んで受信した点検イベントを受付け、ステップＳ１６１で警報音の停止を解除して再度出力させる。
【０１４５】
（モード選択処理）
図２４は上記の第１乃至第３モード点検処理のいずれかを選択して動作させる住警器の実施形態を示したブロック図であり、住警器１０−１に代表して示すように、図４に示した住警器１０−１の第１モード点検処理部７０−１に代え、モード選択部７２を設け、モード選択部７２内には、選択対象として第１モード点検処理部７０−１、第２モードその１点検処理部７０−２―１、第２モードその２点検処理部７０−２―２、第３モード点検処理部７０−３を設けている。
【０１４６】
なお、住警器１０−１のそれ以外の構成及び機能は図４の実施形態と同じになることから、相違点となるモード選択部７２のみを示している。
【０１４７】
モード選択部７２に設けた第１モード点検処理部７０−１、第２モード（その１，その２）点検処理部７０−２−１、７０−２−２、第３モード点検処理部７０−３の詳細は、図３乃至図２３に示した通りである。モード選択部７２は、第１点検モード処理部７０−１，第２モード点検処理部７０−２−１又は７０−２−２（その１又はその２）又は第３モード点検処理部７０−３のいずれか１つを選択して動作させる。このモード選択は、工場出荷時や現場設置時などにモード設定用のディップスイッチなどで設定される。
【０１４８】
点検結果はメッセージに代えて表示を用いて出力しても良い。例えば、ＬＥＤ２２とは別に点検結果表示用のＬＥＤを設けたり、ＬＥＤ２２を多色ＬＥＤとして警報表示と異なる色を用いて表示させることが出来る。もちろん、メッセージと併せてこのような表示を行っても良い。
【０１４９】
また、上記の実施形態では、警報時に警報音と警報表示を行う例を示したが、警報時にＬＥＤ２２の表示を停止し、警報停止操作後の警報停止中に、必要に応じ駆動するようにしても良い。
【０１５０】
図２５は連動元の表示色と連動先の表示色を異ならせた本発明による無線式の住警器の他の実施形態を示した説明図である。
【０１５１】
図２５において、住警器１０はカバー１２とその背後の本体で構成され、カバー１２の中央には、周囲に煙流入口を開口し、その内部には検煙部１６が配置され、検煙部１６の左下側には音響穴１８が設けられ、検煙部１６の下側には警報停止スイッチ２０が設けられている。
【０１５２】
警報停止スイッチ２０は、半透明部材で形成されたスイッチカバーの内部にタクトスイッチ（図示せず）を配置しており、スイッチカバー内部のタクトスイッチ近傍には、点線で示すように、連動元の警報表示を行う赤色ＬＥＤ２２ａと、連動先の警報表示を行う黄色ＬＥＤ２２ｂが配置されており、赤色ＬＥＤ２２ａまたは黄色ＬＥＤ２２ｂが点灯すると、警報停止スイッチ２０のスイッチカバーの部分を透過して点灯状態が外部から分かるようにしている。それ以外の構成は図１の実施形態と同じである。
【０１５３】
また図２５の住警器の回路構成も基本的に図４のブロック図と同じであり、報知部３６に図２５に示したように連動元の警報表示を行う赤色ＬＥＤ２２ａと黄色ＬＥＤ２２ｂを設けた点で相違している。本実施形態では、赤色ＬＥＤ２２ａと黄色ＬＥＤ２２ｂを別々に設けた場合を示しているが、赤色ＬＥＤと黄色ＬＥＤを一体に備えた２色ＬＥＤを使用しても良い。
【０１５４】
図２６は図２５の実施形態における警報停止の例を示している。図２６にあっては、住警器１０−１〜１０−５が警報を出している状態で、いずれかの警報停止スイッチ２０を操作すると、原則として警報音を停止し、警報表示を継続させる停止処理が行われる。なお、以下の実施形態にあっては、連動元については警報音と警報表示を継続させる場合がある。
【０１５５】
図２６（Ａ）は連動関係にある住警器１０−１〜１０−５の中の住警器１０−１が火災を検出し、住警器１０−１が警報音と赤色ＬＥＤ２２ａをたとえば点灯する警報表示により連動元を示す火災警報を行い、残りの住警器１０−２〜１０−５が警報音を出力すると共に黄色ＬＥＤ２２ｂをたとえば点灯する警報表示により連動先を示す火災警報を行っている。
【０１５６】
なお赤色ＬＥＤ２２ａによる警報表示により連動元を示す火災警報と、黄色ＬＥＤ２２ｂによる警報表示により連動先を示す火災警報は、点灯以外に点滅又は明滅としても良い。
【０１５７】
この連動警報の状態で、連動元の住警器１０−１及び連動先の警報器１０−２〜１０−５のいずれかに設けている警報停止スイッチ２０を操作すると、図２６（Ｂ）に示すように、連動元の住警器１０−１及び連動先の住警器１０−２〜１０−５で行っている警報音は停止するが、連動元の住警器１０−１における赤色ＬＥＤ２２ａの点灯及び連動先の住警器１０−２〜１０−５における黄色ＬＥＤ２２ｂの点灯による警報表示はそのまま継続するようにしている。
【０１５８】
これによって連動警報が行われた場合、住警器１０−１〜１０−５の設置場所に出向いて警報停止操作を行わなくとも、住警器１０−１〜１０−５の内の任意の住警器の警報停止操作で連動元、連動先の警報音を全て停止することができ、停止操作が簡単且つ容易にできる。
【０１５９】
また、任意の警報器で警報停止操作を行っても、連動元の警報器１０−１における赤色ＬＥＤ２２ａの点灯による警報表示は継続され、連動先の警報器１０−２〜１０−５における黄色ＬＥＤ２２ｂの点灯による警報表示も継続され、消火後の火元の特定や、誤報または非火災報を発した住警器の特定が簡単且つ確実にできる。
【０１６０】
警報停止後に継続している連動元の住警器１０−１の赤色ＬＥＤ２２ａによる警報表示は、タイマ設定で決まる所定時間経過で停止する。
【０１６１】
図２６（Ｂ）のように、警報停止スイッチ２０の操作を検出して警報音を停止し、警報表示を継続させた状態で、警報停止スイッチ２０の操作（点検操作）を検出すると、図２５の実施形態にあっては、第１モード点検処理、第２モード点検処理、第３モード点検処理、又は第１~第３モード点検処理のいずれかをモード選択して実行する処理を行う。
【０１６２】
この４種類の点検処理の詳細は、図２６に示したように、連動元を示す警報表示が赤色ＬＥＤ２２ａの点灯で行われ、連動先を示す警報表示が黄色ＬＥＤ２２ｂの点灯で行われる点で相違する以外は、図４乃至図２４に示したと同じになる。
【０１６３】
なお上記の実施形態は火災を検出して警報する住警器を例にとるものであったが、ガス漏れ警報器、ＣＯ警報器、各種の防犯用警報器を配置した警報システムについても同様に適用できる。
【０１６４】
また上記の実施形態におけるフローチャートは処理の概略例を説明したもので、処理の順番等はこれに限定されない。また各処理や処理と処理の間に必要に応じて遅延時間を設けたり、他の判定を挿入する等が出来る。
【０１６５】
また上記の実施形態で述べた「受信がある」、「受信が無い」、「受信した場合」、「受信を判別」等は、受信した信号が有効なものとして認識されたか否かの判定も含んでいる。
【０１６６】
また上記の実施形態では、連動元を赤色表示とし、連動先を黄色表示としているが、任意の異なる表示色により連動元と連動先を表示しても良い。またＬＥＤ２２ａ、２２ｂは多色ＬＥＤで共用としても良い。
【０１６７】
また、火災等の異常を示す警報表示と、点検を示す表示の色を異ならせるようにしても良い。このようにすれば、警報中でなく点検処理中であることが、表示のうえでも識別出来る。
【０１６８】
さらに、点検処理中についても連動元と連動先の表示色を異ならせることが出来る。このようにすれば、警報中か点検処理中か、そして連動元か連動先かを表示のうえで詳細に識別することが出来る。
【０１６９】
また、例えば警報表示は点灯、点検処理表示は警報表示とは異なる色の点滅とするなど、ＬＥＤ（他の表示デバイスでも良い）の駆動周期やパターンの違いを組み合わせても、詳細な識別が出来るようにすることが出来る。
【０１７０】
この他、少なくとも連動元と連動先が、また加えて警報と点検が表示のうえで識別できれば、どのような表示方法を組み合わせても良い。
【０１７１】
また、上記の実施形態は住宅用に限らずビルやオフィス用など各種用途の警報器にも適用できる。
【０１７２】
また、上記の実施形態は警報器にセンサ部と警報出力処理部を一体に設けた場合を例にとるが、他の実施形態として、センサ部と警報出力処理部を別体とした警報器であっても良い。
【０１７３】
また、上記の実施形態は住警器間の通信に無線を用いる場合を例にとったが、有線で通信する連動システムおよびその警報器にも、本発明を適用できる。
【０１７４】
また、上記の実施形態は電池電源で動作する住警器を例にとったが、電池以外の電源で動作する警報器にも本発明を適用できる。  
【０１７５】
また本発明は上記の実施形態に限定されず、その目的と利点を損なうことのない適宜の変形を含み、更に上記の実施形態に示した数値による限定は受けない。
【符号の説明】
【０１７６】
１０，１０−１〜１０−５：住警器
１２：カバー
１４：本体
１５：取付フック
１６：検煙部
１８：音響孔
２０：警報停止スイッチ
２２：ＬＥＤ
２２ａ：赤色ＬＥＤ
２２ｂ：黄色ＬＥＤ
２４：住宅
２６：ガレージ
２８：ＣＰＵ
３１：アンテナ
３０：無線通信部
３２：メモリ
３４：センサ部
３６：報知部
３８：操作部
４０：電池電源
４２：送信回路
４４：受信回路
４６：イベント信号
４８：連番
５０：送信元符号
５２：グループ符号
５４：イベント符号
５８：スピーカ
６０：イベント検出部
６２：送信処理部
６４：受信処理部
６６：警報処理部
６８：警報停止部
７０−１：第１モード点検処理部
７０−２：第２モード点検処理部
７０−３：第３モード点検処理部
７２：モード選択部
【図１】
0005426281.tif 000002
【図２】
0005426281.tif 000003
【図３】
0005426281.tif 000004
【図４】
0005426281.tif 000005
【図５】
0005426281.tif 000006
【図６】
0005426281.tif 000007
【図７】
0005426281.tif 000008
【図８】
0005426281.tif 000009
【図９】
0005426281.tif 000010
【図１０】
0005426281.tif 000011
【図１１】
0005426281.tif 000012
【図１２】
0005426281.tif 000013
【図１３】
0005426281.tif 000014
【図１４】
0005426281.tif 000015
【図１５】
0005426281.tif 000016
【図１６】
0005426281.tif 000017
【図１７】
0005426281.tif 000018
【図１８】
0005426281.tif 000019
【図１９】
0005426281.tif 000020
【図２０】
0005426281.tif 000021
【図２１】
0005426281.tif 000022
【図２２】
0005426281.tif 000023
【図２３】
0005426281.tif 000024
【図２４】
0005426281.tif 000025
【図２５】
0005426281.tif 000026
【図２６】
0005426281.tif 000027